(57)【要約】    【課題】  ＯＦＤＭ(直交周波数分割)方式によって送信された放送信号を受信し、次いで復号する放送受信装置であって、高品位な復号信号を得ることができ且つ低コストな放送受信装置を提供することである。    【解決手段】  マスターアンテナから受信したＯＦＤＭ信号を復号してマスターシンボルを得るマスターＯＦＤＭ部と、複数のスレーブアンテナのうちの１つから受信したＯＦＤＭ信号を復号してスレーブシンボルを得るスレーブＯＦＤＭ部と、該マスターシンボルと該スレーブシンボルとを合成して合成シンボルを得る合成手段と、所定の基準に基づいてスレーブＯＦＤＭ部がＯＦＤＭ信号を受信すべきスレーブアンテナを選択する選択手段と、を有する構成として、上記問題を解決した。【選択図】      図１ 
2005150911.tif 000002
【特許請求の範囲】
【請求項１】
マスターアンテナから受信したＯＦＤＭ信号を復号してマスターシンボルを得るマスターＯＦＤＭ部と、
複数のスレーブアンテナのうちの１つから受信したＯＦＤＭ信号を復号してスレーブシンボルを得るスレーブＯＦＤＭ部と、
該マスターシンボルと該スレーブシンボルとを合成して合成シンボルを得る合成手段と、
所定の基準に基づいて前記スレーブＯＦＤＭ部がＯＦＤＭ信号を受信すべきスレーブアンテナを選択する選択手段と、
を有する、放送受信装置。
【請求項２】
前記所定の基準は、該合成シンボルのビットエラーレートが第１の所定値を上回っていることを含むことを特徴とする、請求項１に記載の放送受信装置。
【請求項３】
前記所定の基準は、前記マスターアンテナから受信したＯＦＤＭ信号の電界強度が第２の所定値を上回っていることを含むことを特徴とする、請求項１または請求項２に記載の放送受信装置。
【請求項４】
前記マスターアンテナから受信したＯＦＤＭ信号の電界強度が該第２の所定値を上回っているかどうかは、前記マスターアンテナから受信したＯＦＤＭ信号の同調を行うマスター側チューナのオートゲインコントロールレベルから判断されることを特徴とする、請求項３に記載の放送受信装置。
【請求項５】
前記所定の基準は、前記スレーブＯＦＤＭ部が現在受信しているＯＦＤＭ信号の電界強度が第３の所定値を下回っていることを含むことを特徴とする、請求項１から請求項４のいずれかに記載の放送受信装置。
【請求項６】
前記スレーブＯＦＤＭ部が現在受信しているＯＦＤＭ信号の電界強度が該第３の所定値を下回っているかどうかは、前記スレーブＯＦＤＭ部が現在ＯＦＤＭ信号を受信しているスレーブアンテナから受信したＯＦＤＭ信号の同調を行うスレーブ側チューナのオートゲインコントロールレベルから判断されることを特徴とする、請求項５に記載の放送受信装置。
【請求項７】
前記放送受信装置は、
前記マスターアンテナから受信したＯＦＤＭ信号の同調を行い、且つＯＦＤＭ信号を処理して前記マスターＯＦＤＭ部に送るマスター側チューナと、
前記複数のスレーブアンテナのいずれか一つから受信したＯＦＤＭ信号の同調を行い、且つＯＦＤＭ信号を処理して前記スレーブＯＦＤＭ部に送るスレーブ側チューナと、
を有し、
前記選択手段は、該所定の基準に基づいて前記スレーブ側チューナがＯＦＤＭ信号を受信すべきスレーブアンテナを選択する、
ことを特徴とする、請求項１から請求項６のいずれかに記載の放送受信装置。
【請求項８】
前記放送受信装置は、
前記マスターアンテナから受信したＯＦＤＭ信号の同調を行い、且つＯＦＤＭ信号を処理して前記マスターＯＦＤＭ部に送るマスター側チューナと、
前記複数のスレーブアンテナのそれぞれから受信したＯＦＤＭ信号の同調を行い、且つＯＦＤＭ信号を処理して選択的に前記スレーブＯＦＤＭ部に送る複数のスレーブ側チューナと、
を有し、
前記選択手段は、該所定の基準に基づいて前記スレーブＯＦＤＭ部に該処理されたＯＦＤＭ信号を送信すべきスレーブ側チューナを前記複数のスレーブ側チューナの中から選択する、
ことを特徴とする、請求項１から請求項６のいずれかに記載の放送受信装置。
【請求項９】
該所定の基準は、前記選択手段が現在選択しているスレーブ側チューナが受信しているＯＦＤＭ信号の電界強度が、他のスレーブ側チューナが受信しているＯＦＤＭ信号の電界強度を下回っていることを含むことを特徴とする、請求項８に記載の放送受信装置。
【請求項１０】
前記選択手段が現在選択しているスレーブ側チューナが受信しているＯＦＤＭ信号の電界強度が他のスレーブ側チューナが受信しているＯＦＤＭ信号の電界強度を下回っているかどうかは、前記複数のスレーブ側チューナのオートゲインコントロールレベルから判断されることを特徴とする、請求項９に記載の放送受信装置。
【請求項１１】
前記選択手段は、前記スレーブアンテナが特定のシンボルに相当するＯＦＤＭ信号を受信し終わった後に前記スレーブＯＦＤＭ部がＯＦＤＭ信号を受信すべきスレーブアンテナを切り換え、
該切り換えが完了した後に、該スレーブアンテナによるＯＦＤＭ信号の受信を、次のシンボルの先頭から再開する、
ことを特徴とする請求項１から請求項１０のいずれかに記載の放送受信装置。
【発明の詳細な説明】
【技術分野】
【０００１】
本発明は、ＯＦＤＭ(直交周波数分割)方式によって送信された放送信号を受信し、次いで復号する放送受信装置に関する。
【背景技術】
【０００２】
近年、従来のアナログテレビジョン放送に代わって、デジタルテレビジョン放送が利用され始めている。デジタルテレビジョン放送においては、大量のデジタルデータを高速に送受信する必要がある。大量のデジタルデータを効率よく搬送する方法として、ＯＦＤＭ(直交周波数分割)方式が注目されている。
【０００３】
ＯＦＤＭ方式は、送信側でデジタル信号をシリアル−パラレル変換して複数の並列シンボルとし、さらにこれを逆フーリエ変換して複数個の異なる周波数の直交サブキャリアを得、これをＤ／Ａ変換したＯＦＤＭ信号を送信するものである。受信機側では受信したＯＦＤＭ信号をＡ／Ｄ変換した後、フーリエ変換によって並列シンボルを得、さらにこれをパラレル−シリアル変換して復号化されたデジタル信号を得るものである。ＯＦＤＭ方式に置いてはサブキャリア同士が直交しているため、サブキャリア同士の周波数帯が一部重なり合ってもよいので、限られた周波数帯で大量のデータを送信できる。
【０００４】
一方、このＯＦＤＭ方式やアナログ放送を含む通信においては、信号減衰を防ぐために指向性の異なる複数のアンテナを用いて信号品質を向上させる、所謂ダイバーシティシステムが採用されていることが多い。ダイバーシティシステムは、切り換えダイバーシティシステムと合成ダイバーシティシステムとに大別される。
【０００５】
切り換えダイバーシティシステムとは、複数のアンテナから受信した信号の内、最も劣化の少ない信号のみを使用するものである。切り換えダイバーシティシステムは、従来よりアナログ放送の受信装置に採用されている。
【０００６】
また、合成ダイバーシティシステムとは、複数のアンテナから受信した信号を合成することにより、信号のレベルを上昇させるものである。ただし、複数のアンテナから受信した信号の到達時刻のそれぞれは、その信号受信経路に応じて異なる。即ち、ビルなどに反射した信号は、送信機よりダイレクトに受信した信号よりも若干遅れて到達する。(以後、先に到達した信号を希望波、遅れて到達した信号を遅延波と称する。)
【０００７】
ＯＦＤＭ方式においては、希望波に遅延波が合成されると、１つ前のシンボルが重なってしまい，各シンボルのデータを復調する際に特性が劣化してしまう。このような劣化を防ぐため、例えば特許文献１の構成のように、信号送信時に各サブキャリアにガードインターバルと呼ばれる信号余裕期間を追加している。ガードインターバルとは、シンボルの波形の一部を巡回的に付加したものであり、遅延波の遅延時間がガードインターバルの時間以内であれば、自分自身のシンボルの重なりによる影響は避けられないものの、１つ前の別のシンボルの重なりを避けて復調することができる。すなわち、ガードインターバルを追加することにより、遅延波による劣化をある程度防止し、かつダイバーシティシステムを用いないときよりも信号品質の高い信号を得ることができる。
【０００８】
このように、ＯＦＤＭ方式と合成ダイバーシティシステムを併用することにより、高品質の信号を得ることができる。また、受信した信号の品質は、アンテナの本数が多いほど高くなる。
【特許文献１】特開平１０−１０７７７７号
【発明の開示】
【発明が解決しようとする課題】
【０００９】
しかしながら、ＯＦＤＭ方式においては、チューナ及びフーリエ変換他の信号処理を行う回路(ＯＦＤＭ復調回路)をアンテナ毎に用意する必要がある。特にＯＦＤＭ復調回路は高速で信号処理を行う高価な回路であり、高品質な信号を得るためにアンテナを多数設けると、受信装置の大幅なコスト増を伴う、という問題があった。一方、ＯＦＤＭ方式に切り換えダイバーシティシステムを適用するのは、アンテナ切り換えタイミング上困難であった。
【００１０】
そこで上記事情に鑑み、本発明は、高品位な信号を得ることができ、且つ低コストな放送受信装置を提供することを目的とする。
【課題を解決するための手段】
【００１１】
上記の課題を解決するため、請求項１に記載の放送受信装置は、マスターアンテナから受信したＯＦＤＭ信号を復号してマスターシンボルを得るマスターＯＦＤＭ部と、複数のスレーブアンテナのうちの１つから受信したＯＦＤＭ信号を復号してスレーブシンボルを得るスレーブＯＦＤＭ部と、該マスターシンボルと該スレーブシンボルとを合成して合成シンボルを得る合成手段と、所定の基準に基づいてスレーブＯＦＤＭ部がＯＦＤＭ信号を受信すべきスレーブアンテナを選択する選択手段と、を有する。
【００１２】
従って、本発明の放送受信装置によれば、最も高品位のＯＦＤＭ信号を受信するスレーブアンテナを選択可能である。また、本発明の放送受信装置は、従来の放送受信装置とＯＦＤＭ部の数が同じであるという低コストなものである。従って、本発明によれば、高品位な信号を得ることができ、且つ低コストな放送受信装置が実現される。
【００１３】
また、所定の基準は、該合成シンボルのビットエラーレートが第１の所定値を上回っていること(請求項２)、マスターアンテナから受信したＯＦＤＭ信号の電界強度が第２の所定値を上回っていること(請求項３)、スレーブＯＦＤＭ部が現在受信しているＯＦＤＭ信号の電界強度が第３の所定値を下回っていること(請求項５)のいずれかであってもよく、又はこれらの条件の複数を組み合わせたものであってもよい。
【００１４】
また、マスターアンテナから受信したＯＦＤＭ信号の電界強度が該第２の所定値を上回っているかどうかは、マスターアンテナから受信したＯＦＤＭ信号の同調を行うマスター側チューナのオートゲインコントロールレベルから判断されてもよい(請求項４)。
【００１５】
また、スレーブＯＦＤＭ部が現在受信しているＯＦＤＭ信号の電界強度が該第３の所定値を下回っているかどうかは、スレーブＯＦＤＭ部が現在ＯＦＤＭ信号を受信しているスレーブアンテナから受信したＯＦＤＭ信号の同調を行うスレーブ側チューナのオートゲインコントロールレベルから判断されてもよい(請求項６)。
【００１６】
また、放送受信装置が、マスターアンテナから受信したＯＦＤＭ信号の同調を行い且つＯＦＤＭ信号を処理してマスターＯＦＤＭ部に送るマスター側チューナと、複数のスレーブアンテナのいずれか一つから受信したＯＦＤＭ信号の同調を行い且つＯＦＤＭ信号を処理してスレーブＯＦＤＭ部に送るスレーブ側チューナと、を有し、選択手段は、該所定の基準に基づいてスレーブ側チューナがＯＦＤＭ信号を受信すべきスレーブアンテナを選択する構成としてもよい(請求項７)。
【００１７】
このような構成とすると、ＦＤＭ信号の同調を行い且つＯＦＤＭ信号を処理してＯＦＤＭ部に送るチューナは２つで良いため、さらに低コストな放送受信装置が実現される。
【００１８】
或いは、放送受信装置が、マスターアンテナから受信したＯＦＤＭ信号の同調を行い且つＯＦＤＭ信号を処理してマスターＯＦＤＭ部に送るマスター側チューナと、複数のスレーブアンテナのそれぞれから受信したＯＦＤＭ信号の同調を行い且つＯＦＤＭ信号を処理して選択的にスレーブＯＦＤＭ部に送る複数のスレーブ側チューナと、を有し、選択手段は、該所定の基準に基づいてスレーブＯＦＤＭ部に該処理されたＯＦＤＭ信号を送信すべきスレーブ側チューナを複数のスレーブ側チューナの中から選択する構成としてもよい(請求項８)。加えて、該所定の基準は、選択手段が現在選択しているスレーブ側チューナが受信しているＯＦＤＭ信号の電界強度が、他のスレーブ側チューナが受信しているＯＦＤＭ信号の電界強度を下回っていることを含む(請求項９)。
【００１９】
このような構成とすると、切り換えた後のスレーブ側チューナが受信しているＯＦＤＭ信号の電界強度が切り換え前のものより更に低いという現象が発生しないため、無駄な切り換えを防止することができる。
【００２０】
また、選択手段が現在選択しているスレーブ側チューナが受信しているＯＦＤＭ信号の電界強度が他のスレーブ側チューナが受信しているＯＦＤＭ信号の電界強度を下回っているかどうかは、複数のスレーブ側チューナのオートゲインコントロールレベルから判断されてもよい(請求項１０)。
【００２１】
また、選択手段が、スレーブアンテナが特定のシンボルに相当するＯＦＤＭ信号を受信し終わった後にスレーブＯＦＤＭ部がＯＦＤＭ信号を受信すべきスレーブアンテナを切り換え、該切り換えが完了した後に該スレーブアンテナによるＯＦＤＭ信号の受信を次のシンボルの先頭から再開する構成としてもよい(請求項１１)。
【００２２】
このような構成とすると、スレーブ側で受信する電波が不連続に切り換る現象を防止することができる。
【発明を実施するための最良の形態】
【００２３】
図１は本発明の第１の実施形態のデジタルテレビジョン放送受信装置の概略構成を表す図である。本実施形態の受信装置１００は、マスターアンテナ１０ａが受信したマスター信号と、スレーブアンテナ１０ｂ、１０ｃのうちの１本が受信したスレーブ信号とを合成する、合成ダイバーシティシステムを採用したものである。なお、アンテナ１０ａ、１０ｂ、１０ｃは、それぞれ指向性の異なるアンテナである。
【００２４】
マスターアンテナ１０ａによって受信されたＯＦＤＭ信号はチューナ部２０ａに送られる。チューナ部２０ａでは、ＰＬＬを用いたＯＦＤＭ信号の同調、帯域フィルタリング、ダウンコンバート等が行われ、マスターＯＦＤＭ部３０ａが処理しやすいアナログ信号を生成する。生成されたアナログ信号は、マスターＯＦＤＭ部３０ａに送られる。
【００２５】
マスターＯＦＤＭ部３０ａは、チューナ部２０ａから送られたアナログ信号に対して、Ａ／Ｄ変換、シリアル−パラレル変換、高速フーリエ変換を順次実施し、複数のシンボルを得る。
【００２６】
一方、スレーブアンテナ１０ｂ、１０ｃは、切換器６０と接続されている。切換器６０は、スレーブアンテナ１０ｂによって受信されたＯＦＤＭ信号と、スレーブアンテナ１０ｃによって受信されたＯＦＤＭ信号のどちらをチューナ部２０ｂに送るのかを切り換える装置である。どちらの信号をチューナ部２０ｂに送るかは、マイコン４０によって制御される(後述)。
【００２７】
チューナ部２０ｂでは、ＰＬＬを用いたＯＦＤＭ信号の同調、帯域フィルタリング、ダウンコンバート等が行われ、スレーブＯＦＤＭ部３０ｂが処理しやすいアナログ信号を生成する。生成されたアナログ信号は、スレーブＯＦＤＭ部３０ｂに送られる。
【００２８】
スレーブＯＦＤＭ部３０ｂは、チューナ部２０ｂから送られたアナログ信号に対して、Ａ／Ｄ変換、シリアル−パラレル変換、高速フーリエ変換を順次実施し、複数のシンボルを得る。次いで、この複数のシンボルはマスターＯＦＤＭ部３０ａに送られる。
【００２９】
マスターＯＦＤＭ部３０ａは、マスターＯＦＤＭ部３０ａ自身が復号した複数のシンボルと、スレーブＯＦＤＭ部３０ｂから送られた複数のシンボルを合成し、劣化の少ないシンボルを得る。次いで、この複数のシンボルをシングルキャリアのデータに戻す。以上の手順を経て、シングルキャリアのデータである映像情報が復号される。この映像情報はＭＰＥＧ形式のデータストリームである。次いで、復号された映像情報はＭＰＥＧ部５０に送られる。
【００３０】
ＭＰＥＧ部５０は、映像情報をアナログビデオ信号やＤＶ信号等のビデオ信号及びオーディオ信号に変換し、出力する。ＭＰＥＧ部５０には図示しないモニタおよびスピーカが接続されており、受信装置１００のユーザは、音声付き動画像を視聴できる。
【００３１】
マイコン４０によるスレーブアンテナ切り換えの手順を以下に説明する。図２は、マイコン４０によって実行されるアンテナ切換ルーチンのフローチャートである。なお、このルーチンは周期的(例えば１フレーム毎、或いは一秒毎)に実行される。本ルーチンが開始すると、最初にステップＳ１０１が実行される。なお、受信装置１００の起動時は、スレーブアンテナ１０ｂによって受信されたＯＦＤＭ信号がチューナ部２０ｂに送られるようになっている。
【００３２】
ステップＳ１０１では、マスターＯＦＤＭ部３０ａ自身が復号した複数のシンボルと、スレーブＯＦＤＭ部３０ｂから送られた複数のシンボルが合成されるまで待機する。次いでステップＳ１０２に進む。
【００３３】
ステップＳ１０２では、合成されたシンボルのＢＥＲ(ビットエラーレート)の算出が行われる。ここで、ＢＥＲが一定基準（例えば10-2）を上回っている場合は、信号の劣化が大きいものと判断し(Ｓ１０２：ＹＥＳ)、ステップＳ１０３に進む。一方、ＢＥＲが上記一定基準を下回っている場合は、信号の劣化がほとんど無いものと判断し(Ｓ１０２：ＮＯ)、本ルーチンを終了する(スレーブアンテナの切り換えは行われない)。
【００３４】
ステップＳ１０３では、チューナ部２０ａ、２０ｂのＡＧＣ(オートゲインコントロール)出力を取得し、両者のＡＧＣレベルのチェックを行う。マスター側のチューナ部２０ａのＡＧＣレベルが所定値ｘを上回り、且つスレーブ側のチューナ部２０ｂのＡＧＣレベルが所定値ｙを下回っている場合は(Ｓ１０３：ＹＥＳ)、ステップＳ１０４に進み、チューナ部２０ｂに送るべき信号を受信するスレーブアンテナを切り換え、次いで本ルーチンを終了する。一方、マスター側のチューナ部２０ａのＡＧＣレベルが所定値ｘを下回るか、スレーブ側のチューナ部２０ｂのＡＧＣレベルが所定値ｙを上回っている場合は(Ｓ１０３：ＮＯ)、本ルーチンを終了する。
【００３５】
ＡＧＣレベルは、受信したＯＦＤＭ信号の電界強度を示す指標であり、ＡＧＣレベルが高くなるほど電解強度は大きくなる。即ち、スレーブ側のチューナ部２０ｂのＡＧＣレベルが小さいということは、スレーブアンテナの受信した電波が弱く、従って雑音成分を多く含んでいることを意味する。一方、スレーブアンテナの切り換えにあたっては、一時的にマスターアンテナ１０ａの受信したＯＦＤＭ信号のみを使用して映像情報を復号しなければならないため、マスターアンテナ１０ａが受信したＯＦＤＭ信号の電界強度が充分に大きくなければならない。従って、ステップＳ１０４においては、スレーブ側のＡＧＣレベルのみならず、マスター側のＡＧＣレベルも用いて、スレーブアンテナの切り換えを行うべきかどうかの判断を行っている。
【００３６】
以上のように、本ルーチンによって、合成されたシンボルの劣化がある基準値よりも大きく、マスターアンテナ１０ａが受信したＯＦＤＭ信号の電界強度が充分に大きく、且つスレーブアンテナが受信したＯＦＤＭ信号の電界強度が所定値未満である場合に、スレーブアンテナの切り換えが行われる。
【００３７】
ステップＳ１０４のアンテナ切り換えの手順を以下に説明する。図３は、マスターＯＦＤＭ部３０ａがフーリエ変換して得られたシンボルと、スレーブＯＦＤＭ部３０ｂがフーリエ変換して得られたシンボルを時系列順に並べたものである。シンボル１が最初に変換されたものであり、シンボル３が最後に変換されたものである。
【００３８】
図３に示されるように、マスターＯＦＤＭ部３０ａがフーリエ変換を行ってシンボル２を得ている間に、アンテナ切り換え処理が行われる。即ち、スレーブ側ではシンボル１に相当する信号の受信が終わった後にアンテナの切り換えを行い、シンボル３に相当する信号が受信装置１００に届く前に切り換え処理を完了する。そして、シンボル３に相当する信号の受信は切り換った後のスレーブアンテナによって受信される。なお、シンボル２に相当する信号は、スレーブＯＦＤＭ部３０ｂは処理しない。
【００３９】
このように、スレーブアンテナが特定のシンボルに相当する信号を受信し終わった後にアンテナを切り換え、切り換えた後に次のシンボルに相当する信号の受信を再開する構成とすることにより、スレーブ側で受信する電波が不連続に切り換る現象を防止する。あるシンボルに相当する信号を受信中にスレーブ側で受信する電波が不連続に切り換ると、その信号から復号されたシンボルは送信時のものと大きく異なるものとなる可能性が高く、映像情報の品質が劣化する可能性がある。本実施形態においては、上記の手法によってスレーブ側で受信する電波が不連続に切り換る現象が防止されるため、アンテナ切り換え時であっても高品位な映像情報を得ることができる。
【００４０】
以上のように、本実施形態によれば、複数のスレーブアンテナから受信したＯＦＤＭ信号の質が低いと判断された時に自動的にスレーブアンテナが切り換る構成となっている。従って、より品質の高いＯＦＤＭ信号を用いて合成ダイバーシティを行うことができるため、得られる映像情報は雑音成分の少ない高品質な情報となる。
【００４１】
なお、本実施形態では、切換器６０が2つのスレーブアンテナ１０ｂ、１０ｃを切り換える構成としているが、切換器が３つ、或いはそれ以上の数のスレーブアンテナを切り換える構成としてもよい。
【００４２】
以上説明した本発明の第１の実施形態は、チューナ部及びＯＦＤＭ部がそれぞれ２つずつのみであるという、従来の合成ダイバーシティシステムを利用した受信装置とほとんど変らない構成の低コストな受信装置であるにもかかわらず、より高品位な映像情報の取得を可能としたものである。しかしながら第１の実施形態においては、切り換えた後のスレーブ側ＡＧＣレベルが切り換え前のものより更に低い場合は、再度スレーブアンテナを切り換える必要があるため、無駄な切り換えが発生していた。本発明の第２の実施形態は、このようなスレーブアンテナの無駄な切り換えの発生を防止するものである。
【００４３】
図４は、本発明の第２の実施形態のデジタルテレビジョン放送受信装置の概略構成を表す図である。なお、本発明の第１の実施形態と同一又は類似の機能を有する要素については、第１の実施形態と同一又は類似の符号が付与されている。
【００４４】
本実施形態の受信装置２００においては、スレーブアンテナ１０ｂがチューナ部２０ｂに、またスレーブアンテナ１０ｃがチューナ部２０ｃにそれぞれ接続されている。また、切換器６０はチューナ部２０ｂ、２０ｃのそれぞれによって生成されたアナログ信号のうち、スレーブＯＦＤＭ部３０ｂに送るべきアナログ信号を切り換えるものである。どちらの信号をチューナ部２０ｂに送るかは、マイコン４０によって制御される(後述)。
【００４５】
また、第１の実施形態と同様、スレーブＯＦＤＭ部３０ｂの処理によって得られたシンボルはマスターＯＦＤＭ部３０ａの処理によって得られたシンボルと合成され、さらにＭＰＥＧ部５０によって所定のビデオ／オーディオ信号に変換される。
【００４６】
マイコン４０によるスレーブ側チューナ部切り換えの手順を以下に説明する。図５は、マイコン４０によって実行されるアンテナ切換ルーチンのフローチャートである。なお、このルーチンは周期的(例えば１フレーム毎、或いは一秒毎)に実行される。本ルーチンが開始すると、最初にステップＳ２０１が実行される。なお、受信装置２００の起動時は、チューナ部２０ｂが生成するアナログ信号がスレーブＯＦＤＭ３０ｂに送られるようになっている。
【００４７】
ステップＳ２０１では、マスターＯＦＤＭ部３０ａ自身が復号した複数のシンボルと、スレーブＯＦＤＭ部３０ｂから送られた複数のシンボルが合成されるまで待機する。次いでステップＳ２０２に進む。
【００４８】
ステップＳ２０２では、合成されたシンボルのＢＥＲ(ビットエラーレート)の算出が行われる。ここで、ＢＥＲが一定基準（例えば10-2）を上回っている場合は、信号の劣化が大きいものと判断し(Ｓ２０２：ＹＥＳ)、ステップＳ２０３に進む。一方、ＢＥＲが上記一定基準を下回っている場合は、信号の劣化がほとんど無いものと判断し(Ｓ２０２：ＮＯ)、本ルーチンを終了する(スレーブ側チューナ部の切り換えは行われない)。
【００４９】
ステップＳ２０３では、チューナ部２０ａ、２０ｂ、２０ｃのＡＧＣ(オートゲインコントロール)出力を取得し、両者のＡＧＣレベルのチェックを行う。なお、現在スレーブ３０ｂに信号を供給しているチューナ部からのＡＧＣ出力のレベルを「第１スレーブＡＧＣレベル」、現在スレーブ３０ｂに信号を供給していないチューナ部からのＡＧＣ出力のレベルを「第２スレーブＡＧＣレベル」と定義する。マスター側のチューナ部２０ａのＡＧＣレベルが所定値ｘを上回り、且つ第１スレーブＡＧＣレベルが第２スレーブＡＧＣレベル及び所定値ｙを下回っている場合は(Ｓ２０３：ＹＥＳ)、ステップＳ２０４に進み、スレーブＯＦＤＭ部３０ｂに送るべき信号を受信するチューナ部を切り換え、次いで本ルーチンを終了する。一方、マスター側のチューナ部２０ａのＡＧＣレベルが所定値ｘを下回るか、第１スレーブＡＧＣレベルが第２スレーブＡＧＣレベルを上回っているか、第１スレーブＡＧＣレベルが所定値ｙを上回っている場合は(Ｓ２０３：ＮＯ)、本ルーチンを終了する。
【００５０】
従って、本ルーチンによって、合成されたシンボルの劣化がある基準値よりも大きく、マスターアンテナ１０ａが受信したＯＦＤＭ信号の電界強度が充分に大きく、現在信号をスレーブＯＦＤＭ部３０ｂに送っているチューナ部に接続されたスレーブアンテナが受信したＯＦＤＭ信号の電界強度が他のスレーブアンテナが受信したＯＦＤＭ信号の電界強度よりも小さく、且つ現在信号をスレーブＯＦＤＭ部３０ｂに送っているスレーブアンテナが受信したＯＦＤＭ信号の電界強度が所定値未満である場合に、スレーブアンテナの切り換えが行われる。なお、切り換えのタイミング等は第１の実施形態と同様であるので、説明は省略する。
【００５１】
以上のように、本実施形態によれば、第１の実施形態における基準を見たし、且つ現在信号をスレーブＯＦＤＭ部３０ｂに送っているチューナ部に接続されたスレーブアンテナが受信したＯＦＤＭ信号の電界強度が他のスレーブアンテナが受信した電波の電界強度よりも小さい時のみにスレーブアンテナの切り換えが行われる。従って、スレーブアンテナ毎にチューナ部を設ける必要が有るものの、切り換えた後のスレーブ側ＡＧＣレベルが切り換え前のものより更に低いという現象は起こらない。よって、本実施形態によれば、スレーブアンテナの無駄な切り換えが無く、且つ従来のものよりも高品質な映像情報を得ることのできる受信装置が実現される。
【図面の簡単な説明】
【００５２】
【図１】本発明の第１の実施形態のデジタルテレビジョン放送受信装置の概略構成を表す図である。
【図２】本発明の第１の実施形態による、アンテナ切換ルーチンのフローチャートである。
【図３】本発明の第１の実施形態において、マスターＯＦＤＭ部がフーリエ変換して得られたシンボルと、スレーブＯＦＤＭ部がフーリエ変換して得られたシンボルを時系列順に並べたものである。
【図４】本発明の第２の実施形態のデジタルテレビジョン放送受信装置の概略構成を表す図である。
【図５】本発明の第２の実施形態による、アンテナ切換ルーチンのフローチャートである。  カーナビゲーション装置の液晶モニタの画面上に表示される注文用メニューの一例である。
【符号の説明】
【００５３】
１０ａ          マスターアンテナ
１０ｂ、１０ｃ  スレーブアンテナ
２０ａ          マスター側チューナ部
２０ｂ、２０ｃ  スレーブ側チューナ部
３０ａ          マスターＯＦＤＭ部
３０ｂ          スレーブＯＦＤＭ部
４０            マイコン
５０            ＭＰＥＧ部
６０            切換器
１００、２００    デジタルテレビジョン放送受信装置
【図１】
2005150911.tif 000003
【図２】
2005150911.tif 000004
【図３】
2005150911.tif 000005
【図４】
2005150911.tif 000006
【図５】
2005150911.tif 000007